(57)【要約】      （修正有）【課題】ハンドルを着脱可能に中棒の下端に設置することができるハンドルが交換可能な傘を提供する。【解決手段】係合部１０が下端周面から突出する中空の中棒１と、該中棒の下端に着脱可能に結合されるハンドル４とを有し、該ハンドルは、手元４０と、管部材４１と、スプリング４２とを備え、該手元は上面に凹設される収容凹部４０１を備える。該管部材は、該収容凹部に収容され、上面に凹設される挿設凹部４１２と、該挿設凹部と連通すると共に、上部から下部まで縦方向に伸びるように形成される縦溝部４１３と、該挿設凹部と連通すると共に、該縦溝部から横方向に伸びるように形成される横溝部４１４とを備える。又、該スプリングは、前記挿設凹部に収容され、さらに、前記中棒の下端は、前記スプリングを押圧して管部材の挿設凹部に挿入され、係合部１０が管部材の縦溝部に沿って下側方向に移動した後、横溝部に沿って横方向に回されて横溝部４１４の末端に係合する。【選択図】図２
0003162453.tif 000002
【実用新案登録請求の範囲】
【請求項１】
係合部が下端周面から突出する中空の中棒と、
前記中棒に展開可能に環装される、複数の傘骨を備える骨組みと、
前記骨組みの複数の傘骨に展開可能に設置される生地と、
上部に形成される結合端と、該結合端の上面に凹設される収容凹部とを備える手元と、上端と、該上端の上面に凹設される挿設凹部と、該挿設凹部と連通すると共に、上部から下部まで縦方向に伸びるように形成される縦溝部と、該挿設凹部と連通すると共に、該縦溝部から横方向に伸びるように形成される横溝部とを備え、該手元の収容凹部に収容される管部材と、前記管部材の挿設凹部に収容されるスプリングとを備える、着脱可能に前記中棒の下端に設けられるハンドルとを有し、
さらに、前記中棒の下端は、前記スプリングを押圧して管部材の挿設凹部に挿入され、係合部が管部材の縦溝部に沿って下側方向に移動した後、横溝部に沿って横方向に回されて横溝部の末端に係合されることによって、中棒とハンドルが着脱可能に結合されることを特徴とするハンドルが交換可能な傘。
【請求項２】
前記中棒は、軸方向に配設される２つ係合部を備え、
前記ハンドルの管部材は、前記係合部と係合されると共に、前記縦溝部から横方向に伸びるように形成される２つの横溝部を備えることを特徴とする請求項１に記載のハンドルが交換可能な傘。
【請求項３】
前記管部材は、下部に形成され、外周面に細長状を呈する複数の接着凹部が形成される挿入端を備えることを特徴とする請求項１または２に記載のハンドルが交換可能な傘。
【請求項４】
前記手元は、前記収容凹部の底面に凹設される螺孔を備え、
前記管部材は、下部に形成される挿入端と、該挿入端の底部から延出すると共に、前記螺孔と螺合する螺合部とを備えることを特徴とする請求項１または２に記載のハンドルが交換可能な傘。
【請求項５】
前記手元は、前記収容凹部の底面に凹設される螺孔を備え、
前記管部材は、前記挿入端の底部から延出すると共に、前記螺孔と螺合する螺合部を備えることを特徴とする請求項３に記載のハンドルが交換可能な傘。
【考案の詳細な説明】
【技術分野】
【０００１】
本考案は、特にハンドルを着脱可能に中棒の下端に設置することができる傘に関するものである。
【背景技術】
【０００２】
従来の傘は、中棒と、該中棒の下端に設けられる手元と、該中棒に設けられ、展開可能な傘骨と、該傘骨に縫合される生地とを有するものであり、また、使用する時に、該手元が脱落しないように、安定的に中棒の下端に固定させるために、中棒と手元との間が接着剤により、或いはボルトにより固定される。
【０００３】
さらに、従来の傘の手元はプラスチックからなると共に、中棒及び傘骨は、金属材料からなり、該手元は、中棒に一体に固定されていることから、傘を廃棄する時、プラスチックからなる部品と金屬材料からなる部品とを分離させることが難しく、傘全体を不燃ごみとして廃棄しなければならないので、環境に悪影響を与えていた。
【０００４】
上述の問題を解決するために、本考案者はその後、中棒から手元を取り外せる傘を案出した。この傘は、手元と、管部材と、中棒と、位置決め部とを有し、そのうち手元は、収容孔と、該収容孔の軸方向に形成される溝部とを備え、該管部材は、該収容孔に設置され、該溝部に挿入される柱部を備え、手元と管部材との間には接着剤が塗布され、回転不能に手元及び管部材が接着される。更に、前記中棒は、手元及び管部材の内部に挿入されると共に、内挿孔を有し、該管部材には外挿孔が形成され、前記位置決め部は、中棒の内挿孔及び管部材の外挿孔に挿入されることにより手元及び中棒を結合させる位置決めピンを有する。
【考案の概要】
【考案が解決しようとする課題】
【０００５】
しかしながら、従来の傘は、プラスチックからなる部材と金屬材料からなる部材とを分離させることが難しく、また、中棒から手元を取り外せる傘は、構成が複雑であるので、使用上非常に不便であった。
【課題を解決するための手段】
【０００６】
本考案に係るハンドルが交換可能な傘は、中棒と、骨組みと、生地と、ハンドルとを有し、そのうち中棒は、中空を呈し、下端周面から係合部が突出し、該骨組みは、展開可能に該中棒に環設される複数の傘骨を備え、該生地は、該骨組みの複数の傘骨に展開可能に設置され、該ハンドルは、着脱可能に該中棒の下端に設置され、手元と、管部材と、スプリングとを備え、そのうち手元は、上部に形成される結合端と、該結合端の上面に凹設される収容凹部とを備え、該管部材は、該手元の収容凹部に収容されると共に、上端と、該上端の上面に凹設される挿設凹部と、該挿設凹部と連通すると共に、上部から下部まで縦方向に伸びるように形成される縦溝部と、該挿設凹部と連通すると共に、該縦溝部から横方向に伸びるように形成される２つの横溝部とを備え、該スプリングは、該管部材の挿設凹部に収容されるものであり、さらに、前記中棒の下端は、前記スプリングを押圧して管部材の挿設凹部に挿入され、係合部が管部材の縦溝部に沿って下側方向に移動した後、横溝部に沿って横方向に回されて横溝部の末端に係合されることによって、中棒とハンドルが着脱可能に結合される構成を有するものである。
【０００７】
本考案に係るハンドルが交換可能な傘は、優れた係合効果を提供するために、前記中棒が、軸方向に配設される２つ係合部を備え、前記ハンドルの管部材が、前記係合部と係合されると共に、前記縦溝部から横方向に伸びるように形成される２つの横溝部を備えることが好ましい。
【０００８】
また、使用者が前記管部材を手元に結合できるようにするために、該管部材は、下部に形成される挿入端と、該挿入端の外周面に形成されると共に、細長状の複数の接着凹部とを備え、その接着凹部に接着剤を付着させ、収容凹部の内周面と接着させることにより、管部材と強固に結合させることができる。
【０００９】
さらに、前記接着剤による結合手段よりも優れた結合手段を用いる場合には、前記手元が、前記収容凹部における底面に凹設される螺孔を有し、前記管部材が、前記挿入端の底部から延出すると共に、前記螺孔と螺合する螺合部を備えることが好ましい。
【考案の効果】
【００１０】
本考案に係るハンドルが交換可能な傘は上記の構成を有することから、中棒とハンドルが着脱可能に結合でき、傘が壊れた時は、異なる材質に簡単に分別することができるので、環境に非常に優しい。
【図面の簡単な説明】
【００１１】
【図１】本考案に係るハンドルが交換可能な傘の斜視図である。
【図２】本考案に係るハンドルが交換可能な傘の部分斜視図である。
【図３】本考案に係るハンドルが交換可能な傘の部分断面図である。
【図４】本考案に係るハンドルが交換可能な傘の他の部分断面図である。
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１及び図４に示すように、本考案に係るハンドルが交換可能な傘は、中棒１と、骨組み２と、生地３と、ハンドル４とを有し、その内、中棒１は、中空の棒体であり、上端と、下端と、下端周面から延出する少なくとも１つの係合部１０とを備えるものである。尚、前記係合部１０は、細長円柱を呈し、該中棒１の下端に径方向に挿設され、外端が該中棒１の表面を通過して突出することが好ましい。
【００１４】
前記骨組み２は、複数の傘骨が展開可能に前記中棒１に環設されるものであり、前記生地３は、該骨組み２の複数の傘骨に設置され、該傘骨によって展開或いは収納できるものである。
【００１５】
前記ハンドル４は、着脱可能に前記中棒１の下端に設置されるものであり、手元４０と、管部材４１と、スプリング４２とを有し、そのうち手元４０は、上部に形成される結合端４００と、該結合端４００の上面に凹設される収容凹部４０１と、該収容凹部４０１の底面に凹設されると共に、内径が収容凹部４０１の内径より小さい螺孔４０２とを備えるものである。
【００１６】
前記管部材４１は、前記手元４０の収容凹部４０１に収容され、且つ下部が前記収容凹部４０１の底部に固定され、また、上部に形成される上端４１０と、下部に形成される挿入端４１１と、該上端４１０の上面に凹設される挿設凹部４１２と、該挿設凹部４１２と連通すると共に、上部から下部まで縦方向に伸びるように壁部を切欠いた縦溝部４１３と、該挿設凹部４１２と連通すると共に、それぞれ該縦溝部４１３の中段及び下端から横方向に伸びるように壁部を切欠いた２本の横溝部４１４と、該挿入端４１１の外周面に縦方向に並列するように形成される細長状を呈する複数の接着凹部４１５と、前記螺孔４０２と螺合し、該挿入端４１１の底部から延出すると共に、内径が管部材４１の外径より小さい螺合部４１６とを備えるものである。尚、前記横溝部４１４は、末端がやや上側へ向かって伸び、縦溝部４１３と横溝部４１４との全体が、逆７字形を呈することが好ましい。
【００１７】
前記管部材４１は、外径が収容凹部４０１の内径より小さいことから、該収容凹部４０１に収容されて手元４０と結合できるが、この時、前記接着凹部４１５に接着剤を付着させ、該接着凹部４１５を収容凹部４０１の内周面に接着させることにより、該管部材４１を強固に手元４０と結合させることができ、更には、前記螺合部４１６が螺孔４０２に螺合されるので、より結合効果を高めることができる。
【００１８】
前記スプリング４２は、前記管部材４１の挿設凹部４１２に収容され、また、前記中棒１は、上端が前記骨組み２と結合すると共に、下端が該管部材４１の挿設凹部４１２に挿入されて前記ハンドル４と係合される。尚、前記スプリング４２は、先ず前記中棒１の下端に固定され、前記中棒１と共に前記挿設凹部４１２に設置されてもよく、或いは、先ず前記挿設凹部４１２に配置され、前記中棒１が挿設凹部４１２に挿入される構成であってもよい。
【００１９】
本考案に係る傘における中棒１とハンドル４とを組み立てる時には、該中棒１の下端を、スプリング４２を押圧しながら管部材４１の挿設凹部４１２に挿入すると共に、該中棒１の係合部１０を、該管部材４１の縦溝部４１３に沿って下方に移動し、その後、横溝部４１４に沿って横方向に回して横溝部４１４の末端に係合させればよい。また、前記スプリング４２は、両端がそれぞれ中棒１の底部と挿設凹部４１２の底部とに当接し、係合部１０が横溝部４１４の末端に係合するための中棒１を上げる弾力を備えることがある。
【００２０】
また、前記中棒１は、前記係合部１０によって管部材４１に係合するので、係合部１０の数量が少なすぎると、該中棒１を強固に管部材４１に係合することが不可能となるが、反対に該係合部１０の数量が多すぎると、係合部１０と対応する横溝部４１４をより多く管部材４１に形成するため、該管部材４１における壁の強度が低下してしまうので、係合部１０の数量を２つにし、該係合部１０と対応する横溝部４１４も２つにすることが好ましい。また、その２つの係合部１０は、中棒１の軸方向に配設される。
【００２１】
本考案に係る傘における中棒１をハンドル４から取り外す時には、スプリング４２を押圧して中棒１の係合部１０を横溝部４１４の末端から外し、横溝部４１４に沿って逆横方向に回し、縦溝部４１３に沿って上方に移動させれば、中棒１をハンドル４から取り外すことができる。
【００２２】
上述したように、本考案に係る傘は、非常に簡単な構成であり、前記中棒１とハンドル４とを容易に着脱可能に結合できる構成であることから、傘を廃棄する際には、中棒１とハンドル４とを分解すれば、それぞれの材質によって分別して回収できるので、環境に悪影響を与えることはない。
【００２３】
さらに、本考案に係る傘は、前記中棒１とハンドル４が着脱可能に結合される構成であることから、使用者の好みに合ったハンドル４に自由に交換することができるので、デザイン性も向上させることができる。
【産業上の利用可能性】
【００２４】
本考案は上記の構成を有することから、傘を廃棄する際には、中棒１とハンドル４とを分解すれば、それぞれの材質によって分別して回収できるので、環境に悪影響を与えることはない。
【符号の説明】
【００２５】
１                    中棒
１０                  係合部
２                    骨組み
３                    生地
４                    ハンドル
４０                  手元
４００            結合端
４０１            収容凹部
４０２            螺孔
４１                  管部材
４０１            収容凹部
４１１            挿入端
４１２            挿設凹部
４１３            縦溝部
４１４            横溝部
４１５            接着凹部
４１６            螺合部
４２                  スプリング
【図１】
0003162453.tif 000003
【図２】
0003162453.tif 000004
【図３】
0003162453.tif 000005
【図４】
0003162453.tif 000006